(57)【特許請求の範囲】
【請求項１】
モータ手段の駆動量を制御する制御手段が、
駆動源によって供給される一次電圧を電圧検出手段より取得し、
前記モータ手段の駆動に要する所定の設定電圧値を基準として、前記電圧検出手段によって検出された一次電圧値を分類し、
報知を行うために設けられる報知手段が、
前記制御手段により分類された前記一次電圧値に応じて報知方法を変更し、
前記報知手段において報知開始の基準とされる一次電圧値と、報知終了の基準とされる一次電圧値とが異なる電圧値であること
を特徴とする報知制御方法。
【請求項２】
圧縮空気を生成する圧縮空気生成手段と、
該圧縮空気生成手段により生成された前記圧縮空気を貯留するタンク部と、
前記圧縮空気生成手段を駆動させるためのモータ手段と、
該モータ手段の駆動量を制御する制御手段と、
駆動源によって供給される一次電圧を検出する電圧検出手段と、
報知を行うための報知手段と
を有し、
前記制御手段は、前記モータ手段の駆動に要する所定の設定電圧値を基準として、前記電圧検出手段によって検出された一次電圧値を分類し、
前記報知手段は、前記制御手段によって分類された前記一次電圧値に応じて、報知方法を変更し、
前記報知手段による報知開始の基準とされる一次電圧値と、報知終了の基準とされる一次電圧値とが異なる電圧値であること
を特徴とするエアコンプレッサ。
【請求項３】
前記制御手段は、前記設定電圧値と前記電圧検出手段によって検出された一次電圧値との電圧値差が所定電圧値以上となった場合に、前記モータ手段の駆動を停止させること
を特徴とする請求項２に記載のエアコンプレッサ。
【請求項４】
前記報知手段は、少なくとも照明手段の点消灯処理により前記報知を行う照明報知手段を有すること
を特徴とする請求項２または請求項３に記載のエアコンプレッサ。
【請求項５】
前記報知手段は、少なくとも音出力手段による出音処理および停止処理により前記報知を行う出音報知手段を有すること
を特徴とする請求項２乃至請求項４のいずれか１項に記載のエアコンプレッサ。
【請求項６】
前記報知手段は、
少なくとも照明手段の点消灯処理により前記報知を行う照明報知手段と、
少なくとも音出力手段による出音処理および停止処理により前記報知を行う出音報知手段と
を有し、
前記一次電圧値の分類は、前記設定電圧値と前記電圧検出手段によって検出された一次電圧値との電圧値差が前記所定電圧値以下となる範囲において３つに分類され、
前記報知手段は、
前記一次電圧値が、最も前記電圧値差の小さい分類の範囲内に入る場合には、前記照明報知手段による点灯処理および前記出音報知手段による出音処理を開始せず、
前記一次電圧値が、２番目に前記電圧値差の小さい分類の範囲内に入る場合には、前記照明報知手段による点灯処理のみを開始して、前記出音報知手段による出音処理は開始せず、
前記一次電圧値が、最も前記電圧値差の大きい分類の範囲内に入る場合には、
前記照明報知手段による前記点灯処理に加えて、前記出音報知手段による出音処理を開始する
ことを特徴とする請求項２または請求項３に記載のエアコンプレッサ。
【発明の詳細な説明】
【技術分野】
【０００１】
本発明は、エアコンプレッサおよび報知制御方法に関し、より詳細には、報知手段を備えたエアコンプレッサおよび報知手段に対する報知制御方法に関する。
【背景技術】
【０００２】
圧縮空気を利用した釘打機等の駆動工具を建築現場で利用する場合には、駆動工具に対して圧縮空気を供給するエアコンプレッサを設置する必要がある。エアコンプレッサは、モータ部を駆動させることによって圧縮空気生成部で圧縮空気を生成し、生成させた空気をタンク部に貯留することによって、所定圧力の圧縮空気を駆動工具に提供する構造となっている。ここで、エアコンプレッサは、一般的なコンセント（交流電源）用のプラグを備えており、プラグをコンセントに接続することによって、モータ部を駆動させるための駆動電力の供給を受けている（例えば、特許文献１参照）。
【特許文献１】特開２００６−５４９４１号公報（第３頁〜第４頁、第６図参照）
【発明の開示】
【発明が解決しようとする課題】
【０００３】
一方で、作業現場等で使用される工具であって、コンセントを介して駆動電力の供給を受ける必要がある工具は、エアコンプレッサ以外にも多数存在する。しかしながら、各コンセントには、合計して使用可能な電力量が予め規定されており、使用可能な電力量を超えた場合にはコンセントへの電力供給を一時的に遮断するためのブレーカが通常設けられている。
【０００４】
ブレーカによる電力の遮断が行われると、同一コンセントに接続された全ての駆動工具の動作が停止されてしまうため、作業に支障が生ずる可能性が高い。一方で、同一コンセントにたくさんの駆動工具が接続されている場合には、エアコンプレッサの機能を十分に発揮するために必要とされる電圧値（設定電圧値）よりも低い電圧値しか、コンセントから供給を受けることができない場合がある。このように低い電圧値しか一次電圧として供給を受けることできない場合には、エアコンプレッサの機能を十分に発揮し得るように駆動制御を行うことができず、また、設定電圧値を超えた高い電圧値の供給を受ける場合には、エアコンプレッサの故障等を招いてしまうおそれがあった。
【０００５】
本発明は上記問題に鑑みてなされたものであり、駆動源によって供給される一次電圧を検出することにより、一次電圧値がモータ手段の駆動に適した電圧値となっているか否かを作業者に報知することが可能なエアコンプレッサおよび報知制御方法を提供することを課題とする。
【課題を解決するための手段】
【０００６】
上記課題を解決するために、本発明に係る報知制御方法では、モータ手段の駆動量を制御する制御手段が、駆動源によって供給される一次電圧を電圧検出手段より取得し、前記モータ手段の駆動に要する所定の設定電圧値を基準として、前記電圧検出手段によって検出された一次電圧値を分類し、報知を行うために設けられる報知手段が、前記制御手段により分類された前記一次電圧値に応じて報知方法を変更することを特徴とする。
【０００７】
本発明に係る報知制御方法によれば、制御手段が、設定電圧値を基準として電圧検出手段によって検出された一次電圧値を分類し、報知手段が、分類された一次電圧値に応じて報知方法を変更するので、作業者は報知手段による報知方法によって、一次電圧値がどの程度の値であるかを、容易かつ迅速に知ることが可能となる。
【０００８】
また、上述した報知制御方法において、前記報知手段による報知開始の基準とされる一次電圧値と、報知終了の基準とされる一次電圧値とが異なる電圧値であってもよい。
【０００９】
このように、報知手段による報知開始の一次電圧値と報知終了の一次電圧値とが異なる電圧値である場合には、電圧検出手段によって報知開始後に検出された一次電圧値が、報知が開始される電圧値前後で変動しても、報知を終了する電圧値に一次電圧が達しなければそのまま報知が継続される（報知が終了することがない）ので、報知の開始および終了が切り替わりつつ連続して実行される現象（いわゆるチャタリング）を抑制することができる。
【００１０】
一方で、本発明に係るエアコンプレッサは、圧縮空気を生成する圧縮空気生成手段と、該圧縮空気生成手段により生成された前記圧縮空気を貯留するタンク部と、前記圧縮空気生成手段を駆動させるためのモータ手段と、該モータ手段の駆動量を制御する制御手段と、駆動源によって供給される一次電圧を検出する電圧検出手段と、報知を行うための報知手段とを有し、前記制御手段は、前記モータ手段の駆動に要する所定の設定電圧値を基準として、前記電圧検出手段によって検出された一次電圧値を分類し、前記報知手段は、前記制御手段によって分類された前記一次電圧値に応じて、報知方法を変更することを特徴とする。
【００１１】
本発明に係るエアコンプレッサでは、制御手段が設定電圧値を基準として、電圧検出手段によって検出された一次電圧値を分類し、報知手段が、分類された一次電圧値に応じて報知方法を変更するので、報知手段による報知方法によって、作業者は一次電圧値がどの程度の値であるかを、容易かつ迅速に知ることが可能となる。
【００１２】
また、エアコンプレッサは、報知手段による報知開始の基準とされる一次電圧値と、報知終了の基準とされる一次電圧値とを異なる電圧値とするものであってもよい。
【００１３】
このように、報知手段による報知開始の一次電圧値と報知終了の一次電圧値とが異なる電圧値である場合には、電圧検出手段によって報知開始後に検出された一次電圧値が、報知が開始される電圧値前後で変動しても、報知を終了する電圧値に一次電圧が達しなければそのまま報知が継続される（報知が終了することがない）ので、報知の開始および終了が切り替わりつつ連続して実行される現象（いわゆるチャタリング）を抑制することができる。
【００１４】
また同様に、電圧検出手段によって報知終了後に検出された一次電圧値が、報知が終了される電圧値前後で変動しても、報知を開始する電圧値に一次電圧が達しなければそのまま報知が終了した状態となる（報知が開始されることがない）ので、報知の開始および終了が切り替わりつつ連続して実行される現象を抑制することが可能となる。
【００１５】
さらに、前記制御手段は、前記設定電圧値と前記電圧検出手段によって検出された一次電圧値との電圧値差が所定電圧値以上となった場合に、前記モータ手段の駆動を停止させるものであってもよい。
【００１６】
このように、制御手段が、設定電圧値と検出された一次電圧値との電圧値差が所定電圧値以上となった場合にモータ手段の駆動を停止させることによって、電圧値差が大きくなって継続してモータ部を駆動させ続けるとエアコンプレッサに不具合を生じさせる可能性がある場合などに、積極的にエアコンプレッサの使用を停止させることができる。このため、作業者が報知手段による報知動作に気づかず、一次電圧値が正常でない値となっている場合、継続してエアコンプレッサが使用されてしまうことを防止することが可能となる。
【００１７】
さらに、上述した報知手段は、少なくとも照明手段の点消灯処理により前記報知を行う照明報知手段を有するものであってもよく、また、報知手段が、少なくとも音出力手段による出音処理および停止処理により前記報知を行う出音報知手段を有するものであってもよい。
【００１８】
このように、報知手段が少なくとも照明報知手段を有することによって、照明の点消灯により作業者への報知を行うことが可能となり、少なくとも出音報知手段を有することによって、出力音の出力・停止処理により作業者への報知を行うことが可能となる。
【００１９】
特に、報知手段が照明報知手段と出音報知手段とを有する場合には、制御手段によって分類された一次電圧値に応じて報知方法を変更する際に、照明報知手段による視覚的な報知方法と出音報知手段による聴覚的な報知方法とを組み合わせることが可能となる。一般に、視覚的な報知よりも聴覚的な報知の方が、作業者の認識性が高い場合が多いので、設定電圧値と検出された一次電圧値との電圧値差が小さい場合には、照明報知手段を用いて報知処理を行い、設定電圧値と検出された一次電圧値との電圧値差が大きい場合には、報知方法を照明報知手段から出音報知手段に切り替えることによって、または、照明報知手段と出音報知手段とを併用することによって、効果的に報知処理を行うことが可能となる。
【発明の効果】
【００２０】
本発明に係るエアコンプレッサおよび報知制御方法によれば、制御手段が、設定電圧値を基準として電圧検出手段によって検出された一次電圧値を分類し、報知手段が、制御手段により分類された一次電圧値に応じて報知方法を変更するので、作業者は一次電圧値がどの程度の値であるかを、報知手段の報知方法によって容易かつ迅速に知ることが可能となる。
【発明を実施するための最良の形態】
【００２１】
以下、本発明に係るエアコンプレッサについて、図面を用いて詳細に説明する。
【００２２】
図１は、エアコンプレッサの概略構成を示したブロック図である。エアコンプレッサ１は、タンク部２と、圧縮空気生成部（圧縮空気生成手段）３と、モータ部（モータ手段）４と、制御回路部（制御手段）５と、ＬＥＤ報知部（照明報知手段、報知手段）６と、ブザー報知部（出音報知手段、報知手段）７とによって概略構成されている。
【００２３】
タンク部２は、圧縮空気を貯留するための貯留タンク８を有している。貯留タンク８には、圧縮空気生成部３により生成された一定圧力の圧縮空気が蓄えられており、通常３．５ＭＰａ〜４．３ＭＰａ程度の圧力に維持されている。
【００２４】
貯留タンク８には、複数の圧縮空気取出口９が設けられている。本実施の形態においては、高圧の圧縮空気を取り出すための高圧取出口９ａと、常圧の圧縮空気を取り出すための常圧取出口９ｂとが設けられている。各取出口９ａ、９ｂには、それぞれの取出口９ａ、９ｂより得られる圧縮空気を所望の圧力に減圧させるための減圧弁１０ａ、１０ｂが設けられており、高圧取出口９ａでは、減圧弁１０ａによって取り出される圧縮空気の圧力が１．５ＭＰａ〜２．５０ＭＰａ程度に減圧され、常圧取出口９ｂでは、減圧弁１０ｂによって取り出される圧縮空気の圧力が０．７ＭＰａ〜１．５ＭＰａ程度に減圧される。
【００２５】
貯留タンク８内の圧縮空気は、上述したように通常３．５ＭＰａ〜４．３ＭＰａ程度の圧力に維持されるため、高圧取出口９ａから取り出され圧縮空気も常圧取出口９ｂから取り出される圧縮空気も、上述した所望の圧力を減圧弁１０ａ、１０ｂによって維持することが可能となる。また、各取出口９ａ、９ｂには、減圧弁１０ａ、１０ｂにより減圧された圧縮空気を釘打機等の駆動工具に供給するために、エアホース（図示省略）を着脱することが可能となっている。
【００２６】
圧縮空気生成部３は、シリンダ内に設けられるピストンを往復運動させ、シリンダの吸気弁からシリンダ内に引き込まれた空気を圧縮することによって圧縮空気を生成する構造を備えている。圧縮された空気は、連結パイプ１４を介してタンク部２の貯留タンク８へと供給される。
【００２７】
モータ部４は、圧縮空気生成部３のピストンを往復運動させるための駆動力を発生させる役割を有している。モータ部４には、駆動力を発生させるためのステータ１６とロータ１７とが設けられている。ステータ１６には、Ｕ相、Ｖ相、Ｗ相の巻線１６ａ、１６ｂ、１６ｃが形成されており、これらの巻線１６ａ〜１６ｃに対して電流を流すことによって回転磁界が形成される。
【００２８】
ロータ１７は、永久磁石によって構成されており、ステータ１６の巻線１６ａ、１６ｂ、１６ｃを流れる電流によって形成される回転磁界により、ロータ１７の回転が行われる。また、モータ部４には、ロータ１７の回転を検出するための回転数検出部１８が設けられている。回転数検出部１８には、ホールＩＣが設けられており、このホールＩＣを用いてロータ１７における磁界の変化を検出することによってロータ１７の回転数を検出する。
【００２９】
制御回路部５は、図２に示すように、マイクロプロセッサ（ＭＰＵ：Micro Processing Unit、制御手段）２０と、コンバータ回路２１と、インバータ回路２２とによって概略構成されている。
【００３０】
コンバータ回路２１は、整流回路（全波整流回路）２４と昇圧回路２５と平滑回路２６とにより概略構成されており、このコンバータ回路２１によっていわゆるＰＡＭ（Pulse Amplitude Modulation）制御が実行される。ここで、ＰＡＭ制御とは、コンバータ回路２１によって出力電圧のパルスの高さを変化させることにより、モータ部４の回転数を制御する方法である。一方で、インバータ回路２２では、いわゆるＰＷＭ（Pulse Width Modulation）制御が実行される。ＰＷＭ制御とは、出力電圧のパルス幅を変化させてモータ部４の回転数を制御させる方法である。
【００３１】
ＰＡＭ制御は、ＰＷＭ制御に比べて、モータ部４における低回転時の効率低下が少なく、電圧を上げることによって高回転にも対応することが可能であるという特性を有しているため、高出力時および定常運転時に主として用いられる制御方法である。一方で、ＰＷＭ制御は、起動時や電圧低下時などにおいて主として用いられる制御方法である。マイクロプロセッサ２０は、エアコンプレッサ１の運転状態に応じて、コンバータ回路２１によるＰＡＭ制御とインバータ回路２２によるＰＷＭ制御とを好適に切り替えて制御を実行する。
【００３２】
コンバータ回路２１の整流回路２４および平滑回路２６は、エアコンプレッサ１の駆動源となる交流電源２９を整流・平滑することによって直流電圧に変換する役割を有している。昇圧回路２５の内部には、スイッチング素子２５ａが設けられており、マイクロプロセッサ２０の制御命令に応じて直流電圧の振幅制御を行う役割を有している。昇圧回路２５は、マイクロプロセッサ２０のＰＡＭ命令を受けた昇圧コントローラ２７を介して制御されている。
【００３３】
なお、コンバータ回路２１の整流回路２４と昇圧回路２５との間には、電圧検出部（電圧検出手段）２８が設けられている。電圧検出部２８で検出される電圧値は、昇圧回路２５等を経て電圧値が昇圧される前の一次電圧の値であり、この電圧値は交流電源２９の電圧値を示している。従って、電圧検出部２８において電圧値を検出することによって、交流電源２９によりどの程度の一次電圧が供給されているかを判断することができ、エアコンプレッサ１の機能を発揮し得る電圧値として予め規定されている規定電圧値（本実施の形態に係るエアコンプレッサ１では、例えばＡＣ１００Ｖ）との電圧値差を容易に判断することが可能となる。電圧検出部２８によって検出された駆動電圧値は、マイクロプロセッサ２０に出力される。
【００３４】
インバータ回路２２は、コンバータ回路２１によって変換された直流電圧のパルスを一定周期で正負変換させるとともに、パルス幅を変換させることによって直流電圧を擬似的な正弦波を備える交流電圧に変換する役割を有している。このパルス幅を調整することによって、上述したようにモータ部４の回転数制御を行うことが可能となる。マイクロプロセッサ２０は、モータ部４の操作量（制御量）を調整することによってインバータ回路２２の制御を行う。
【００３５】
マイクロプロセッサ２０は、コンバータ回路２１およびインバータ回路２２の駆動制御を行うことによって、タンク部２の圧縮空気の圧力を３．５ＭＰａ〜４．０ＭＰａに安定させるための制御手段である。マイクロプロセッサ２０は、演算処理ユニット（ＣＰＵ：Central Processing Unit）、ワークメモリ等の一時記憶領域として利用されるＲＡＭ（Random Access Memory）、制御処理プログラム（図３参照、本発明に係る報知制御方法を示したプログラム）等が記録されるＲＯＭ（Read Only Memory）等が、１チップのＬＳＩにより実現されたものである。
【００３６】
マイクロプロセッサ２０には、上述したように電圧検出部２８によって検出された一次電圧の駆動電圧値と、回転数検出部１８により検出されたモータ部４（より詳細には、ロータ１７）の駆動回転数値とが入力される。一方でマイクロプロセッサ２０は、制御情報（ＰＡＭ命令、ＰＷＭ命令）を、コンバータ回路２１およびインバータ回路２２に対して出力することが可能な構成となっている。コンバータ回路２１およびインバータ回路２２では、マイクロプロセッサ２０によって出力された制御情報に基づいて、モータ部４の駆動制御を実行する。
【００３７】
マイクロプロセッサ２０は、昇圧コントローラ２７にＰＡＭ命令を出力することによって、昇圧コントローラ２７を介して昇圧回路２５のスイッチング素子２５ａを制御して、コンバータ回路２１の駆動制御を行う。また、同様に、マイクロプロセッサ２０は、インバータ回路２２に対してＰＷＭ命令を出力することによってインバータ回路２２の制御を行う。
【００３８】
マイクロプロセッサ２０では、ＰＡＭ制御またはＰＷＭ制御を行う場合、回転数検出部１８により検出されるモータ部４の駆動回転数に基づいて、コンバータ回路２１およびインバータ回路２２の制御量を決定する。
【００３９】
報知手段としてのＬＥＤ報知部６は、エアコンプレッサ１の筐体に設けられており、筐体に対して視認可能に設置されるＬＥＤ光源（照明手段）を備えている。ＬＥＤ報知部６は、制御回路部５による点消灯命令に応じて、ＬＥＤ光源の点灯または消灯を行うことが可能となっている。
【００４０】
報知手段としてのブザー報知部７は、ブザー音を出音させるためのブザー出音回路（音出力手段）を備えており、ＬＥＤ報知部６と同様に、エアコンプレッサ１の筐体に設けられている。ブザー報知部７は、制御回路部５によるブザー出音／停止命令に応じて、ブザー音を出音または停止させることが可能となっている。
【００４１】
ＬＥＤ報知部６およびブザー報知部７では、電圧検出部２８により検出された一次電圧値に応じて点消灯処理および出音・停止処理が行われる。
【００４２】
例えば、コンセントに接続される駆動工具が少数であって、接続される駆動工具の全駆動電圧値の合計値がコンセントの許容電力量の範囲内である場合、エアコンプレッサ１に供給される一次電圧は、エアコンプレッサの規定電圧値（本実施の形態では１００Ｖ）を満たすことが可能となる。一方で、コンセントに接続される駆動工具が多数となり、接続される駆動工具の全駆動電圧値の合計値が、コンセントの許容電力量の範囲を超えてしまう場合には、エアコンプレッサ１に供給される一次電圧が、エアコンプレッサ１の規定電圧値（本実施の形態では１００Ｖ）以下の値となってしまうおそれがあり、規定電圧値以下の一次電圧しか電圧供給を受けることができない場合には、エアコンプレッサの性能を十分に発揮することができないおそれがある。
【００４３】
一方で、エアコンプレッサ１に供給される一次電圧が、エアコンプレッサ１の規定電圧値以上の値となる場合には、エアコンプレッサ１の駆動に想定され得る電圧値を超えて電圧が供給されてしまうので、エアコンプレッサ１に不具合が生ずるおそれがある。
【００４４】
しかしながら、一般的なエアコンプレッサでは、一次電圧の電圧値を確認する手段が設けられていないため、一次電圧が規定電圧値より高いか低いかを作業者が判断することなくエアコンプレッサを継続使用してしまい、結果として十分な機能を発揮できなかったり、不具合を生じさせたりするおそれがあった。
【００４５】
そこで、本発明に係るエアコンプレッサ１では、マイクロプロセッサ２０が電圧検出部２８により検出された一次電圧値に基づいて一次電圧の分類を行い、分類された電圧値に応じてＬＥＤ報知部６およびブザー報知部７を制御することによって、作業者に電圧値に関する報知方法を行っている。
【００４６】
図３は、マイクロプロセッサ２０が、電圧検出部２８により検出された一次電圧に基づいて、ＬＥＤ報知部６およびブザー報知部７の制御を行う処理（報知制御方法）を示したフローチャートである。
【００４７】
まず、マイクロプロセッサ２０は、２秒間の時間待ち処理（ステップＳ．１）をし、２秒間が経過した場合に（ステップＳ．１においてＹｅｓ）、電圧検出部２８より一次電圧値情報を取得する（ステップＳ．２）。ここで、２秒間の時間待ち処理を行う理由は、エアコンプレッサ１がコンセントに接続され、電源がオンにされてから、約２秒程度経過した後に電圧値を検出すると、安定した一次電圧を検出することができるためである。このため、２秒間の時間待ち処理が終了するまで（ステップＳ．１においてＮｏの場合）、マイクロプロセッサ２０は、繰り返し時間待ち処理（ステップＳ．１）を実行する。
【００４８】
２秒間の時間待ち処理が完了し（ステップＳ．１においてＹｅｓの場合）、電圧検出部２８より一次電圧値を取得（ステップＳ．２）した後、マイクロプロセッサ２０は、取得した一次電圧値が８５Ｖ以上、かつ１０５Ｖ以下であるか否かの判断を行う（ステップＳ．３）。
【００４９】
ここで、電圧検出部２８より取得する一次電圧値は、整流回路２４によって全波整流波形となっているので、マイクロプロセッサ２０は、取得された一次電圧の実効値を求めることによって一次電圧の値を判断している。
【００５０】
一次電圧値が８５Ｖ以上、かつ１０５Ｖ以下である場合（ステップＳ．３においてＹｅｓの場合）、マイクロプロセッサ２０は、ＬＥＤ報知部６に対して消灯命令を出力すると共に、ブザー報知部７に対してブザーの停止命令を出力する（ステップＳ．４）する。消灯命令を受信したＬＥＤ報知部６では、マイクロプロセッサ２０の指示に従ってＬＥＤ光源の消灯処理を実行し、ブザー報知部７では、マイクロプロセッサ２０の指示に従ってブザー音の停止処理を実行する。
【００５１】
このＬＥＤ光源の消灯処理によって、エアコンプレッサ１の起動時にはＬＥＤ光源の消灯処理という初期処理を行うこととなり、エアコンプレッサ１の定常動作時においては、ＬＥＤ光源の消灯処理により、一次電圧値がエアコンプレッサ１の駆動に必要な電圧値として許容できる（正常と判断できる）電圧値であることを作業者に報知することが可能となる。
【００５２】
また同様に、ブザー音の停止処理によって、エアコンプレッサ１の起動時にはブザーの停止処理という初期処理を行うこととなり、エアコンプレッサ１の定常動作時においては、ブザー音の停止処理により、一次電圧値がエアコンプレッサ１の駆動に必要な電圧値として許容できる（正常と判断できる）電圧値であることを作業者に報知することが可能となる。
【００５３】
なお、ステップＳ．３において、８５Ｖ以上、かつ１０５Ｖ以下という値を基準として一次電圧値を判断する理由は、本実施の形態に係るエアコンプレッサ１の設定電圧値が１００Ｖであるため、この設定電圧値１００Ｖに対して−１５Ｖから＋５Ｖの範囲の電圧値（つまり、８５Ｖ〜１０５Ｖ）であれば、エアコンプレッサ１の性能を発揮することができ、さらにエアコンプレッサ１の駆動に際して不具合等を生じる可能性が低いと判断することができるためにある。
【００５４】
ＬＥＤ報知部６に対して消灯命令を出力し、ブザー報知部７に対してブザーの停止命令を出力した（ステップＳ．４）後、マイクロプロセッサ２０は、繰り返し時間待ち処理（ステップＳ．１）を実行する。
【００５５】
一次電圧値が８５Ｖ以上、かつ１０５Ｖ以下でない場合（ステップＳ．３においてＮｏの場合）、マイクロプロセッサ２０は、一次電圧値が７５Ｖ以上、かつ１４５Ｖ以下であるか否かを判断する（ステップＳ．５）。一次電圧値が７５Ｖ以上、かつ１４５Ｖ以下である場合（ステップＳ．５においてＹｅｓの場合）、マイクロプロセッサ２０は、ブザー報知部７に対してブザー音の停止命令を出力し（ステップＳ．６）、ブザー報知部７による停止命令を受信したブザー報知部７では、マイクロプロセッサ２０の指示に従ってブザー音の停止処理を実行する。
【００５６】
なお、ステップＳ．６の処理において、マイクロプロセッサ２０は、ＬＥＤ報知部６に対するＬＥＤ光源の消灯命令は出力しない。ステップＳ．５における７５Ｖ≦一次電圧値≦１４５Ｖの判断は、ステップＳ．３における８５Ｖ≦一次電圧値≦１０５Ｖの条件を満たさない（ステップＳ．３においてＮｏの場合）において判断される条件である。従って、実質的にステップＳ．５で判断される一次電圧値の値は、７５Ｖ≦一次電圧値≦８５Ｖであるか、または、１０５Ｖ≦一次電圧値≦１４５Ｖに該当する場合だけある。
【００５７】
このため、ステップＳ．６において、ブザー報知部７に対してブザー音の停止命令のみを出力し、ＬＥＤ報知部６に対するＬＥＤ光源の消灯命令は出力しないことによって、作業者は、ＬＥＤ報知部６の点灯のみが行われて、ブザー報知部７のブザー音が出力されていない場合には、一次電圧値が、７５Ｖ≦一次電圧値≦８５Ｖであるか、または、１０５Ｖ≦一次電圧値≦１４５Ｖであると認識することができる。
【００５８】
次に、一次電圧値が７５Ｖ以上、かつ１４５Ｖ以下でない場合（ステップＳ．５においてＮｏの場合）、または、一次電圧値が７５Ｖ以上、かつ１４５Ｖ以下であって、ブザー報知部７に対してブザー音の停止処理が成された場合（ステップＳ．５においてＹｅｓであって、ステップＳ．６の処理が実行された場合）、マイクロプロセッサ２０は、一次電圧値が、８０Ｖ以下であるか、または、１１０Ｖ以上であるかを判断する（ステップＳ．７）。
【００５９】
一次電圧値が、８０Ｖ以下であるか、または、１１０Ｖ以上である場合（ステップＳ．７においてＹｅｓの場合）、マイクロプロセッサ２０は、ＬＥＤ報知部６に対して点灯命令を出力（ステップＳ．８）し、点灯命令を受信したＬＥＤ報知部６では、マイクロプロセッサ２０の指示に従ってＬＥＤ光源の点灯処理を実行する。このＬＥＤ報知部６の点灯処理により、マイクロプロセッサ２０は、作業者に対してＬＥＤ光源の発光による警告を行うことが可能となる。
【００６０】
次に、一次電圧値が８０Ｖ以下、または、１１０Ｖ以上でない場合（ステップＳ．７においてＮｏの場合）、または、一次電圧値が８０Ｖ以上、または、１１０Ｖ以下であって、ＬＥＤ報知部６に対してＬＥＤ光源の点灯処理を行った場合（ステップＳ．７においてＹｅｓであって、ステップＳ．８の処理が実行された場合）、マイクロプロセッサ２０は、一次電圧値が、７０Ｖ以下であるか、または、１５０Ｖ以上であるかを判断する（ステップＳ．９）。
【００６１】
一次電圧値が、７０Ｖ以下であるか、または、１５０Ｖ以上である場合（ステップＳ．９においてＹｅｓの場合）、マイクロプロセッサ２０は、ブザー報知部７に対してブザー音の出音命令を出力（ステップＳ．１０）し、出音命令を受信したブザー報知部７では、マイクロプロセッサ２０の指示に従ってブザー音の出音処理を実行する。このブザー報知部７の点灯処理により、マイクロプロセッサ２０は、作業者に対してブザー音の出力による警告を行うことが可能となる。
【００６２】
なお、ステップＳ．９において一次電圧が、一次電圧値≦７０Ｖ、または、一次電圧値≧１５０Ｖの条件を満たす場合には、ステップＳ．７における一次電圧の判断値である、一次電圧値≦８０Ｖ、または、一次電圧値≧１１０Ｖの条件を満たすこととなる。このため、ブザー報知部７に対してブザー音の出音命令が出力される場合（ステップＳ．９においてＹｅｓの場合であって、ステップＳ．１０の処理が実行される場合）には、必ず、ＬＥＤ報知部６に対して点灯命令が出力される（ステップＳ．７においてＹｅｓとなって、ステップＳ．８の処理が実行される）。
【００６３】
作業者は、ＬＥＤ報知部６の点灯のみが行われてブザー報知部７によるブザー音の出音が行われていない場合には、一次電圧の値が設定電圧値に近い値を示しており、ＬＥＤ報知部６の点灯とブザー報知部７によるブザー音の出音とが両方行われている場合には、ＬＥＤ報知部６の点灯のみが行われている場合よりも、一次電圧の値が設定電圧値よりも低い値を示しているか、または、高い値を示しており、エアコンプレッサ１の駆動を継続することが好ましい状況ではないと判断することができる。
【００６４】
また、マイクロプロセッサ２０からＬＥＤ報知部６に対してＬＥＤ光源の点灯命令が出力される一次電圧値の条件と消灯命令が出力される一次電圧値の条件とに５Ｖの電圧値差が設けられている。例えば、ＬＥＤ報知部６に対してＬＥＤ光源の点灯命令が出力される一次電圧値は、８０Ｖ以下であることが１つの条件である（ステップＳ．７）が、ＬＥＤ報知部６に対してＬＥＤ光源の消灯命令が出力される一次電圧値は、８５Ｖ以上であり（ステップＳ．３）、その電圧値差として５Ｖの差が確保されている。
【００６５】
このようにＬＥＤ報知部６の点灯条件と消灯条件とに電圧値差を設けることによって、検出された一次電圧値の微妙な変動に伴ってＬＥＤ報知部６のＬＥＤ光源が点消灯を継続的に切り替えてしまうこと（いわゆるチャタリング）を防止することが可能となる。また、マイクロプロセッサ２０からブザー報知部７に対してブザー音の出音命令が出力される一次電圧値の条件と停止命令が出力される一次電圧値の条件とに関しても、５Ｖの電圧値差が設けられている。このため、ブザー音の出力・停止処理におけるチャタリングを防止することが可能となる。
【００６６】
続いて、マイクロプロセッサ２０は、一次電圧値が５０Ｖ以下、または、１５０Ｖ以上であって、モータ部４の駆動動作が行われているか否かについて判断を行う（ステップＳ．１１）。一次電圧値が５０Ｖ以下、または、１５０Ｖ以上であって、モータ部４の駆動動作が行われている場合（ステップＳ．１１においてＹｅｓの場合）には、交流電源２９より供給される電圧値では、エアコンプレッサ１の性能を十分に発揮させることができず、また、安全にエアコンプレッサ１を駆動させることが難しい状況であると判断することができる。このため、マイクロプロセッサ２０は、インバータ回路２２およびコンバータ回路２１に対してモータ部４の駆動を停止させるための制御命令を出力する（ステップＳ．１２）。マイクロプロセッサ２０より制御命令を受けたインバータ回路２２およびコンバータ回路２１は、制御命令に従ってモータ部４の停止制御を行う。
【００６７】
このように交流電源２９より供給される電圧値がエアコンプレッサ１の規定電圧値よりも大幅に高い値であったり、低い値であったりする場合には、マイクロプロセッサ２０がモータ部４の駆動を強制的に停止させることによって、エアコンプレッサ１等に生じ得る不具合やトラブル等を予め回避することが可能となる。
【００６８】
一方で、「一次電圧値が５０Ｖ以下、または、１５０Ｖ以上であって、モータ部４の駆動動作が行われている」という条件を満たさない場合（ステップＳ．１１においてＮｏの場合）、例えば、一次電圧値が５０Ｖ以下、または、１５０Ｖ以上でない場合や、一次電圧値が５０Ｖ以下、または、１５０Ｖ以上であっても、モータ部４の駆動動作が行われていない場合には、処理をステップＳ．１の時間待ち処理に移行して、繰り返し上述した処理を実行する。
【００６９】
以上説明したように、本実施の形態に係るエアコンプレッサ１では、交流電源２９より供給される一次電圧値を検出し、検出された一次電圧値に応じてＬＥＤ報知部６によるＬＥＤ光源の点消灯処理を行い、またブザー報知部７によるブザー音の出音・停止処理を行うので、作業者は、ＬＥＤ光源の点消灯状態およびブザー報知部７によるブザー音に基づいて、交流電源２９の一次電圧値がエアコンプレッサ１の駆動に適した電圧値であるか否かを判断することが可能となる。
【００７０】
特に、本実施の形態に係るエアコンプレッサ１では、一次電圧値と規定電圧値との電圧値差が大きくなるに従って、
（１）ＬＥＤ報知部６およびブザー報知部７による報知なしの状態
から、
（２）ＬＥＤ報知部６によるＬＥＤ光源の点灯による報知（ブザー報知部７による報知なし）が行われる状態
（３）ＬＥＤ報知部６によるＬＥＤ光源の点灯による報知と、ブザー報知部７によるブザー音の出音による報知との両方が行われる状態
（４）ＬＥＤ報知部６による報知とブザー報知部７による報知とに加えて、モータ部４の駆動停止処理を行う状態
という多段階の報知を用いて作業者に一次電圧の状態を知らせることができるので、作業者は、これらの報知状態に基づいて、迅速かつ確実に一次電圧の状態を把握することが可能となる。
【００７１】
このため、報知状態に応じて作業者は様々な対策を施すことが可能となり、例えば、ＬＥＤ報知部６による報知のみが行われている場合には、コンセントに接続されている一部の駆動工具の接続を外したり、ＬＥＤ報知部６とブザー報知部７との２つの報知が両方行われている場合には、コンセントに接続される他の全ての駆動工具をコンセントから外したり、エアコンプレッサ１が接続されるコンセントを他のコンセントに差し替えてみたりすることが可能となる。
【００７２】
また、実施の形態に示した一次電圧値に対する数値条件は、単なる一例に過ぎず、これに限定されるものではない。例えば、設定値１００Ｖに対して±１５Ｖの範囲から、条件となる数値をそれぞれ設定するものであってもよい。
【００７３】
以上、本発明に係るエアコンプレッサおよび報知制御方法について図面を用いて詳細に説明を行ったが、本発明に係るエアコンプレッサおよび報知制御方法は上述したものに限定されるものではない。いわゆる当業者であれば、特許請求の範囲に記載された範疇内において、各種の変更例または修正例に想到し得ることは明らかであり、それらについても当然に本発明の技術的範囲に属する。
【００７４】
例えば、上述した実施の形態では、一次電圧値の状態を作業者に報知するためにブザー音を出力するブザー報知部７について説明を行っているが、音による作業者への報知は必ずしもブザー音には限定されず、例えばブザー音ではなく音楽が鳴ったり、人の声で「一次電圧値が低い（高い）です、ご注意下さい」と喋ったりするものであってもよい。
【００７５】
また、ＬＥＤ報知部６による作業者への報知も、単にＬＥＤ光源が点灯・消灯するだけでなく、一次電圧値に応じて点灯されるＬＥＤ光源の色が変化するもの等であってもよい。
【００７６】
さらに、上述した本実施の形態では、本発明に係る報知制御方法を、エアコンプレッサ１に用いる場合について説明を行ったが、本発明に係る報知制御方法は、必ずしもエアコンプレッサ１に設けられる報知手段の制御だけには限定されず、他の製品における報知手段の制御にも用いることが可能である。
【図面の簡単な説明】
【００７７】
【図１】実施の形態に係るエアコンプレッサの概略構成を示すブロック図である。
【図２】実施の形態に係るエアコンプレッサの制御回路部を示すブロック図である。
【図３】実施の形態に係るマイクロプロセッサの処理内容（報知制御方法）を示したフローチャートである。
【符号の説明】
【００７８】
１     …エアコンプレッサ
２     …タンク部
３     …圧縮空気生成部（圧縮空気生成手段）
４     …モータ部（モータ手段）
５     …制御回路部（制御手段）
６     …ＬＥＤ報知部（報知手段、照明報知手段）
７     …ブザー報知部（報知手段、出音報知手段）
８     …（タンク部の）貯留タンク
９     …圧縮空気取出口
９ａ   …（圧縮空気取出口の）高圧取出口
９ｂ   …（圧縮空気取出口の）常圧取出口
１０ａ、１０ｂ  …減圧弁
１４   …連結パイプ
１６   …（モータ部の）ステータ
１６ａ、１６ｂ、１６ｃ  …（ステータの）巻線
１７   …ロータ
１８   …（モータ部の）回転数検出部
２０   …マイクロプロセッサ（制御手段）
２１   …コンバータ回路
２２   …インバータ回路
２４   …（コンバータ回路の）整流回路
２５   …（コンバータ回路の）昇圧回路
２５ａ  …（昇圧回路の）スイッチング素子
２６   …（コンバータ回路の）平滑回路
２７   …昇圧コントローラ
２８   …電圧検出部（電圧検出手段）
２９   …交流電源
【図１】
0005186840.tif 000002
【図２】
0005186840.tif 000003
【図３】
0005186840.tif 000004